(57)【要約】【課題】製造コストの増加を抑え、且つアプリケーションプロセッサの処理の負担も抑えつつ、２つのディスプレイを用いて１の画像を表示する際にこれらディスプレイでの表示の同期を図ることのできる表示装置を提供することを目的とする。【解決手段】表示装置は、第１ＬＣＤと、第２ＬＣＤと、ダブルバッファを構成するメモリ領域を有する記憶部と、第１画像を格納する一時バッファを有し、バッファ切替後の２回のリフレッシュ時には一時バッファに格納されている第１画像を第１ＬＣＤへ出力する外部ＬＣＤＣと、バッファの切り替えが行われる度にフロントバッファに存在する画像の第１画像を一時バッファへ格納する第１出力制御部と、バッファの切り替えが行われる度に出力制御用バッファへ第２画像を格納し、バッファ切替後の２回のリフレッシュ時には出力制御用バッファに存在する第２画像を第２ＬＣＤへ出力する第２出力制御部とを備える。【選択図】図２
2011102874.tif 000002
【特許請求の範囲】
【請求項１】
連続する画像それぞれを第１画像と第２画像とに分割して２画面で表示する表示装置であって、
第１画像を表示し、表示に係るリフレッシュの周期がＴ０である第１表示手段と、
第２画像を表示し、表示に係るリフレッシュのタイミングが前記第１表示手段と同じである第２表示手段と、
周期Ｔ１＝ｎ×Ｔ０を満たす周期Ｔ１毎に（ｎは２以上の整数）、画像の書き込み対象と読み出し対象とが交互に切り替えられる２つの画像格納領域を含むメモリと、
第１画像を格納する一時格納領域を有し、２つの画像格納領域に係る切り替えからＴ０経過以後のｎ回それぞれのリフレッシュに対応して当該一時格納領域に格納されている第１画像を、当該第１画像の先頭データから順次前記第１表示手段へ出力する表示制御手段と、
前記連続する画像毎に、前記周期Ｔ１内で当該画像を書き込み対象である画像格納領域へ逐次書き込む書込手段と、
２つの画像格納領域に係る切り替えが行われる度に、読み出し対象の画像格納領域に存在する画像の第１画像を読み出して、２×Ｔ０が経過するまでの間に前記一時格納領域へ格納する第１出力手段と、
前記切り替えからＴ０経過以後のｎ回それぞれのリフレッシュに対応して、前記切り替えのタイミングで前記第１出力手段が出力した第１画像と対をなし、前記メモリに存在する第２画像を、当該第２画像の先頭データから順次前記第２表示手段に出力する第２出力手段と
を備えることを特徴とする表示装置。
【請求項２】
前記第２出力手段は、
前記切り替えからＴ０経過以後から、前記２つの画像格納領域に係る次の切り替えがなされる時点までに行われるｎ−１回それぞれのリフレッシュに対応して前記読み出し対象の画像格納領域に存在する前記第２画像を前記第２表示手段へ出力し、前記次の切り替えが行われると、前記書込手段により次の画像が書き込まれる前に書き込み対象の画像格納領域から前記第２画像を前記第２表示手段へ出力する
ことを特徴とする請求項１に記載の表示装置。
【請求項３】
前記書込手段は、
前記２つの画像格納領域に係る切り替えからＴ０経過するまでの間は、書き込み対象の画像格納領域への画像の書き込みを抑止し、
前記第２出力手段は、
前記第２表示手段へ出力すべき第２画像の格納先の画像格納領域を示す領域情報を管理しており、
前記切り替えを起点として前記周期Ｔ０が経過した時点で領域情報の内容を前記第２画像の格納先の画像格納領域は読み出し対象の領域であることを示すものへと変更し、
前記次の切り替えが行われた時点で領域情報の内容を前記第２画像の格納先の領域は書き込み対象の画像格納領域であることを示すものへと変更する
ことを特徴とする請求項２に記載の表示装置。
【請求項４】
前記メモリは、さらに、
第２画像を一時的に格納するための出力制御用領域を有しており、
前記第２出力手段は、
前記切り替えが行われる度に前記読み出し対象の画像格納領域から前記第２画像を読み出して前記出力制御用領域へ格納し、前記切り替えからＴ０経過以後のｎ回それぞれのリフレッシュに対応して、前記出力制御用領域に格納されている第２画像を前記第２表示手段に出力する
ことを特徴とする請求項１に記載の表示装置。
【請求項５】
請求項１に記載の表示装置と、
前記連続する画像を記憶する画像記憶手段と
を備えることを特徴とする携帯情報端末機。
【発明の詳細な説明】
【技術分野】
【０００１】
本発明は、２画面表示に関し、特に、連続する画像を、第１画像と第２画像とに分割して、２画面で表示する表示装置に関する。
【背景技術】
【０００２】
従来、ディスプレイコントローラは、画像などをディスプレイに表示する際の出力の制御（ディスプレイで表示可能な信号への変換や、画面のリフレッシュの制御）がなされる。このディスプレイコントローラには、バッファ付のものとバッファなしのものとの２種類のコントローラがある。バッファなしディスプレイコントローラを用いると、画面リフレッシュ毎に、画像の出力等の制御を行うソフトウェアが動作するプロセッサに対して表示すべき画像を要求する必要がある。しかしながら、バッファ付のディスプレイコントローラを用いると、自身の制御によりバッファに格納された画像を画面のリフレッシュ毎に出力することができ、ソフトウェアの動作に依存することがないのでプロセッサの負荷を軽減することができる。なお、バッファ付のディスプレイコントローラを用いた画像の出力の構成については、特許文献１に開示されている。
【０００３】
また、連続する画像を格納及び表示する技術として、ダブルバッファ構成が通常用いられている。ダブルバッファ構成とは、読み出し対象の領域と書き込み対象の領域とが所定の周期毎に交互に切り替えられる構成をいう。これにより、表示対象の画像が読み出し対象の領域から出力されている間に、次の画像が書き込み対象の領域に書き込まれる。つまり、領域に格納されている画像の出力終了を待つことなく、次の画像を格納することができる。
【０００４】
そこで、通常、連続する画像を格納及び表示する際には、バッファ付のディスプレイコントローラと、ダブルバッファ構成からなる記憶領域との組み合わせが採用されている。
【先行技術文献】
【特許文献】
【０００５】
【特許文献１】特開２００２−７２９４９号公報
【発明の概要】
【発明が解決しようとする課題】
【０００６】
近年、携帯電話機のような携帯情報端末においてテレビ映像などのような連続する画像を表示する機能が付加されるようになり、利用者からより大きな画面で画像を見たいと要望がある。
上記の要望に応じるために、携帯情報端末において２つのディスプレイを備えることで、１の画像を分割して、これら２つのディスプレイで表示することが考えられる。１の画像を分割して２つのディスプレイで表示する場合には、表示のタイミングの同期をとる必要がある。
【０００７】
そこで、表示のタイミングの同期をとるために、各ディスプレイに対してバッファ付のディスプレイコントローラを設けることが考えられる。しかしながら、バッファ付のディスプレイコントローラは高価なものであるので、各ディスプレイに対してバッファ付のディスプレイコントローラを設けると製造コストが増加し、製造者側の費用面の負担が増大する。
【０００８】
逆に、全てのディスプレイに対してバッファなしのディスプレイコントローラを設けることも考えられる。この場合、費用面の負担を抑えることはできるが、各ディスプレイコントローラがプロセッサに対して表示すべき画像を要求するので、プロセッサ上での処理の負担が増大し、その結果、処理が遅くなり、画像の表示に悪影響を与える可能性がある。
【０００９】
そこで、本発明は、製造コストの増加を抑え、且つアプリケーションプロセッサの処理の負担も抑えつつ、２つのディスプレイを用いて１の画像を表示する際にこれらディスプレイでの表示の同期を図ることのできる表示装置を提供することを目的とする。
【課題を解決するための手段】
【００１０】
上記目的を達成するために、本発明は、連続する画像それぞれを第１画像と第２画像とに分割して２画面で表示する表示装置であって、第１画像を表示し、表示に係るリフレッシュの周期がＴ０である第１表示手段と、第２画像を表示し、表示に係るリフレッシュのタイミングが前記第１表示手段と同じである第２表示手段と、周期Ｔ１＝ｎ×Ｔ０を満たす周期Ｔ１毎に（ｎは２以上の整数）、画像の書き込み対象と読み出し対象とが交互に切り替えられる２つの画像格納領域を含むメモリと、第１画像を格納する一時格納領域を有し、２つの画像格納領域に係る切り替えからＴ０経過以後のｎ回それぞれのリフレッシュに対応して当該一時格納領域に格納されている第１画像を、当該第１画像の先頭データから順次前記第１表示手段へ出力する表示制御手段と、前記連続する画像毎に、前記周期Ｔ１内で当該画像を書き込み対象である画像格納領域へ逐次書き込む書込手段と、２つの画像格納領域に係る切り替えが行われる度に、読み出し対象の画像格納領域に存在する画像の第１画像を読み出して、２×Ｔ０が経過するまでの間に前記一時格納領域へ格納する第１出力手段と、前記切り替えからＴ０経過以後のｎ回それぞれのリフレッシュに対応して、前記切り替えのタイミングで前記第１出力手段が出力した第１画像と対をなし、前記メモリに存在する第２画像を、当該第２画像の先頭データから順次前記第２表示手段に出力する第２出力手段とを備えることを特徴とする。
【発明の効果】
【００１１】
この構成によると、表示装置は、第１画像を表示制御手段の一時格納領域へ格納した後、つまり２つの画像格納領域に係る切り替えからＴ０経過後に当該第１画像を第１表示手段で表示し、第２画像を第２出力手段により前記切り替えからＴ０経過後に第２表示手段で表示するので、第１画像と第２画像との表示のタイミングが合うようになっている。
【図面の簡単な説明】
【００１２】
【図１】携帯情報端末１の外観を示す図である。
【図２】携帯情報端末１の画像を表示する機能についての構成を示す図である。
【図３】画像をフレームバッファ１００に書き込む動作を示す流れ図である。
【図４】第１画像を一時バッファ１３０へ格納する動作を示すフローチャートである。
【図５】第１画像を第１ＬＣＤ１４へ表示する動作を示すフローチャートである。
【図６】第２画像を第２ＬＣＤ１５へ表示する動作を示すフローチャートである。
【図７】携帯情報端末１において画像を表示するタイミングの具体例を示すタイミングチャートである。
【図８】携帯情報端末１ａの画像を表示する機能についての構成を示す図である。
【図９】画像をフレームバッファ１００ａに書き込む動作を示す流れ図である。
【図１０】第２画像を第２ＬＣＤ１５ａへ表示する動作を示すフローチャートである。
【図１１】携帯情報端末１ａにおいて画像を表示するタイミングの具体例を示すタイミングチャートである。
【図１２】外部ＬＣＤＣ１３の代わりに内蔵ＬＣＤＣ１３ｂを用いた場合の携帯情報端末１の画像を表示する機能についての構成を示す図である。
【発明を実施するための形態】
【００１３】
１．第１の実施の形態
本発明に係る第１の実施の形態としての携帯情報端末１について説明する。
１．１  概要
携帯情報端末１は、例えば、携帯電話機であり、その外観について図１を参照しつつ説明する。
【００１４】
携帯情報端末１は、図１（ａ）〜（ｃ）に示すように、第１筐体２、第２筐体３、及び第１筐体２と第２筐体３とを連結する連結機構４、４’を備えており、第１筐体２と第２筐体３とが相対的に移動可能な端末である。  第１筐体２には液晶表示パネルと入力用タッチパネルとを含む第１ＬＣＤ（Ｌｉｑｕｉｄ  Ｃｒｙｓｔａｌ  Ｄｉｓｐｌａｙ）１４、スピーカ７及びマイクロホン８が備えられている。
【００１５】
第２筐体３には、第２ＬＣＤ１５が備えられている。なお、第２ＬＣＤ１５は、第１ＬＣＤ１４と同様に、液晶表示パネルと入力用タッチパネルとを備えている。
連結機構４、４’は、図１（ｃ）に示すように、第１筐体２及び第２筐体３の両側それぞれに備えられている。連結機構４は、図１（ｃ）に示すように、第１筐体２の側面と第２筐体３の側面とを互いに連結するための連結駒５とピン３０、３１を有している。また、連結機構４’は、第１筐体２の側面と第２筐体３の側面とを互いに連結するための連結駒５’とピン３０’、３１’を有している。なお、ピン３０’、３１’は図示していない。ピン３０、３０’が第１筐体２に枢支されるとともに、ピン３１、３１’が第２筐体３にスライド可能に係合している。
【００１６】
また、第２筐体３の連結機構４が備えられる側面には、図１（ａ）、（ｂ）に示すように、ピン３１がスライド可能となるようガイド溝６が設けられている。なお、第２筐体３の連結機構４’が備えられる側面においても、同様に、ピン３１’がスライド可能となるようガイド溝６’（図示せず）が設けられている。
この連結機構４、４’により、図１(a)に示す第２筐体３に第１筐体２を重ね合わせた閉状態から、ピン３１、３１’がガイド溝６、６’に沿ってスライドすることにより、第１筐体２が第２筐体３の表面に沿って移動し、その後、ピン３０、３０’それぞれがピン３１、３１’それぞれを中心として回転することにより、第１筐体２の表面と第２筐体３の表面とが同一平面上に揃う開状態となるとともに、第１LCD１４、第２LCD１５とが並ぶ。
【００１７】
携帯情報端末１は、図１（ｃ）に示すように、開状態で画像を表示する際には、第１ＬＣＤ１４及び第２ＬＣＤ１５を用いて、１の画像を２つに分割して２画面で表示する。ここで、画像の分割とは、当該画像を上下に、又は左右に分割することをいう。なお、本実施の形態では、表示すべき画像を上下に分割して表示するものとし、画像を分割した際に上に位置する画像を第１画像と、下に位置する画像を第２画像と呼ぶ。
【００１８】
１．２  構成
ここでは、携帯情報端末１における２画面表示機能についての構成について説明する。
携帯情報端末１の２画面表示機能は、図２に示すように、ＳＤＲＡＭ（Ｓｙｎｃｈｒｏｎｏｕｓ  Ｒａｎｄｏｍ  Ａｃｃｅｓｓ  Ｍｅｍｏｒｙ）である記憶部１０、プロセッサを含む制御部１１、外部ＬＣＤＣ（Ｌｉｑｕｉｄ  Ｃｒｙｓｔａｌ  Ｄｉｓｐｌａｙ  Ｃｏｎｔｒｏｌｌｅｒ）１２、外部ＬＣＤＣ１３、第１ＬＣＤ１４、第２ＬＣＤ１５及び画像格納部１６から構成されている。
【００１９】
なお、携帯情報端末１は、図２においては２画面機能に係る構成要素だけを示しているが、その他キー操作部、タッチパネルに係る構成要素及び通信機能に係る構成要素など、携帯電話機としての機能を実現する構成要素を備えている。
（１）第１ＬＣＤ１４及び第２ＬＣＤ１５
第１ＬＣＤ１４は、画面更新（リフレッシュ）の周期がＴ０であり、外部ＬＣＤＣ１２の制御により、表示すべき画像のうちの第１画像を表示するためのものである。
【００２０】
また、第２ＬＣＤ１５は、画面更新（リフレッシュ）の周期がＴ０であり、外部ＬＣＤＣ１３の制御により、表示すべき画像のうちの第２画像を表示するためのものである。
（２）記憶部１０、画像格納部１６
（２−１）記憶部１０
記憶部１０には、制御部１１による表示すべき画像の出力を制御するプログラムが格納されている。
【００２１】
また、記憶部１０には、第１ＬＣＤ１４及び第２ＬＣＤ１５で表示すべき画像が制御部１１の制御により格納されるための領域が含まれている。具体的には、記憶部１０には、図２に示すように、フレームバッファ１００と、出力制御用バッファ１０１とを構成するメモリ領域が含まれている。
（フレームバッファ１００）
フレームバッファ１００は、第１バッファ１０２と第２バッファ１０３とからなるダブルバッファとして構成されている。ここで、読み出し対象のバッファと書き込み対象のバッファとは、制御部１１の制御により周期Ｔ１毎に切り替えられるものとする。なお、周期Ｔ１は、Ｔ１＝ｎ×Ｔ０を満たすものとする（ここで、ｎは２とする。）。例えば、ある周期Ｔ１において第１バッファ１０２が読み出し対象であり、第２バッファ１０３が書き込み対象である場合には、次の周期Ｔ１では第１バッファ１０２が書き込み対象となり、第２バッファ１０３が読み出し対象となる。なお、以降において、読み出し対象のバッファをフロントバッファ、書き込み対象のバッファをバックバッファと呼ぶ。
【００２２】
また、第１バッファ１０２は第３バッファ１０４と第４バッファ１０５とから、第２バッファ１０３は第５バッファ１０６と第６バッファ１０７とから構成されており、第３バッファ１０４と第５バッファ１０６には第１ＬＣＤで表示すべき第１画像が、第４バッファ１０５と第６バッファ１０７には第１ＬＣＤで表示すべき第２画像が、制御部１１の制御によりそれぞれ格納される。
【００２３】
（出力制御用バッファ１０１）
出力制御用バッファ１０１は、フロントバッファから読み出された第２画像を、一時的に格納するためのメモリ領域である。
（２−２）画像格納部１６
画像格納部１６には、制御部１１の制御によりフレームバッファ１００に格納されるべき連続する画像が格納されている。
【００２４】
（３）外部ＬＣＤＣ１２及び外部ＬＣＤＣ１３
（３−１）外部ＬＣＤＣ１２
外部ＬＣＤＣ１２は、第１ＬＣＤ１４で表示すべき第１画像を第１ＬＣＤ１４へ出力するものである。
外部ＬＣＤＣ１２は、図２に示すように、第１ＬＣＤ１４で表示すべき第１画像を格納するための一時バッファ１３０を備えている。
【００２５】
外部ＬＣＤＣ１２は、第１ＬＣＤ１４のリフレッシュに対応、つまり第１ＬＣＤ１４の画面更新が開始されると、第１ＬＣＤ１４で表示すべき第１画像を一時バッファ１３０から読み出して第１ＬＣＤ１４へ出力する。なお、第１画像の第１ＬＣＤ１４への出力は、リフレッシュが開始されてからＴ０が経過するまでに完了するものとする。
また、外部ＬＣＤＣ１２は、ＶＳＹＮＣ（垂直同期）信号、ＨＳＹＮＣ（水平同期）信号及びＤＣＬＫ（Ｄｏｔ  Ｃｌｏｃｋ）信号を生成し、第１ＬＣＤ１４へ出力する。なお、ＶＳＹＮＣ信号はリフレッシュの周期Ｔ０毎に、生成される。具体的には、外部ＬＣＤＣ１２は、ＶＳＹＮＣ信号の周期Ｔ０を繰り返し計時、つまり０から１／６０秒を繰り返し計時するタイマを有している。当該タイマが０となった時点で、ＶＳＹＮＣ信号が生成される。ここで、ＶＳＹＮＣ信号、ＨＳＹＮＣ信号及びＤＣＬＫ信号それぞれの生成については、公知であるためここでの説明は省略する。第１ＬＣＤ１４では、ＶＳＹＮＣ信号を受け取ることにより、リフレッシュが開始される。つまり、外部ＬＣＤＣ１２がＶＳＹＮＣ信号を第１ＬＣＤ１４へ出力したタイミングで、第１画像の第１ＬＣＤ１４への出力が開始される。
【００２６】
また、外部ＬＣＤＣ１２は、生成したＶＳＹＮＣ信号を、外部ＬＣＤＣ１３及び制御部１１へ出力する。
（３−２）外部ＬＣＤＣ１３
外部ＬＣＤＣ１３は、第２ＬＣＤ１５で表示すべき第２画像を第２ＬＣＤ１５へ出力するものである。
【００２７】
外部ＬＣＤＣ１３は、第２ＬＣＤ１５のリフレッシュに対応して、第２ＬＣＤ１４で表示すべき第２画像を要求し、一時バッファ１３０に格納された第１画像に対応する第２画像を第２ＬＣＤ１５へ出力する。
また、外部ＬＣＤＣ１３は、外部ＬＣＤＣ１２と同様に、ＶＳＹＮＣ信号、ＨＳＹＮＣ信号及びＤＣＬＫ信号を生成し、第２ＬＣＤ１５へ出力する。外部ＬＣＤＣ１２と同様に、外部ＬＣＤＣ１３がＶＳＹＮＣ信号を第２ＬＣＤ１５へ出力したタイミングで、第２画像の第１ＬＣＤ１４への出力が開始される。具体的には、外部ＬＣＤＣ１３は、外部ＬＣＤＣ１２と同様に、ＶＳＹＮＣ信号の周期Ｔ０を繰り返し計時するタイマを有している。当該タイマが０となった時点で、ＶＳＹＮＣ信号が生成される。
【００２８】
さらに、外部ＬＣＤＣ１３は、外部ＬＣＤＣ１２からＶＳＹＮＣ信号を受け取り、互いのＶＳＹＮＣ信号生成のタイミングの同期、つまりは互いの有するタイマの同期をとる。これにより、互いのリフレッシュタイミングの同期をとることができる。
（４）制御部１１
制御部１１は、記憶部１０に記憶されているプログラムを動作させ、画像の書き込み等の処理を行うプロセッサを含むものであり、携帯情報端末１の全体の動作を制御する。
【００２９】
以下、２画面表示に係る機能について説明する。
制御部１１は、図２に示すように、書込部１１０、出力制御部１１１、ＤＭＡ（Ｄｉｒｅｃｔ  Ｍｅｍｏｒｙ  Ａｃｃｅｓｓ）転送部１１２及びＭＤＤＩ（Ｍｏｂｉｌｅ  Ｄｉｓｐｌａｙ  Ｄｉｇｉｔａｌ  Ｉｎｔｅｒｆａｃｅ）１１３、１１４、切替制御部１１５から構成されている。ここで、書込部１１０、出力制御部１１１、及び切替制御部１１５がプロセッサに含まれる構成要素である。
【００３０】
（４−１）切替制御部１１５
切替制御部１１５は、周期Ｔ１毎に、フレームバッファ１００に係るバッファ切り替え、つまり第１バッファ１０２と第２バッファ１０３に対してフロントバッファとバックバッファとの切り替えを行う。
具体的には、切替制御部１１５は、フロントバッファを示すアドレス及びバックバッファを示すアドレスそれぞれをポインタにより管理している。また、切替制御部１１５は、１からｎ（本実施の形態では、ｎ＝２）まで、ＶＳＹＮＣ信号を受信する毎に繰り返しカウントするカウンタを有している。なお、このカウンタの初期値は１である。切替制御部１１５は、外部ＬＣＤＣ１２からＶＳＹＮＣ信号を受け取ると、カウンタの値を１加算する。切替制御部１１５は、カウンタの値が１に戻った時点で、ポインタの切り替え、つまりフロントバッファを示すアドレスとバックバッファを示すアドレスとを切り替える。これにより、フロントバッファとバックバッファとが切り替えられる。例えば、ある時点でバッファ切り替えがおこなれた後においてフロントバッファを示すポインタが第１バッファ１０２の先頭アドレスであり、バックバッファを示すポインタが第２バッファ１０３の先頭アドレスである場合には、次のバッファ切り替えの時点ではフロントバッファを示すポインタは第２バッファ１０３の先頭アドレスを、前記バックバッファを示すポインタは第１バッファ１０２の先頭アドレスとなる。
【００３１】
また、切替制御部１１５は、バッファの切り替えを行うと、切替が行われた旨の通知（以下、切替通知という。）を出力制御部１１１及び書込部１１０へ通知する。
（４−２）書込部１１０
書込部１１０は、切替制御部１１５の制御によるバッファの切り替えが行われる度に、つまり切替制御部１１５から切替通知を受け取る毎に画像格納部１６に格納された連続する画像を、１枚（１フレーム）ずつ読み出して、周期Ｔ１内にバックバッファへ書き込む。
【００３２】
（４−３）出力制御部１１１
出力制御部１１１は、表示すべき画像を外部ＬＣＤＣ１２、１３へ出力する制御を行うものであり、図２に示すように、第１出力制御部１２０と第２出力制御部１２１とを含んでいる。
（第１出力制御部１２０）
第１出力制御部１２０は、表示すべき画像のうち第１ＬＣＤ１４に表示される第１画像の出力に係る制御を行うものである。
【００３３】
第１出力制御部１２０は、切替制御部１１５の制御によるバッファの切り替えが行われたか否かを検知する。具体的には、第１出力制御部１２０は、切替制御部１１５からの切替通知を受け取ったか否かを判断する。
第１出力制御部１２０は、切替制御部１１５の制御によるバッファの切り替えが行われたと判断する場合、外部ＬＣＤＣ１２が表示すべき第１画像の第１ＬＣＤ１４への出力を開始するまで待機する。
【００３４】
第１出力制御部１２０は、外部ＬＣＤＣ１２が第１画像の第１ＬＣＤ１４への出力を開始した後、ＤＭＡ転送部１１２に対して、フロントバッファに格納されている第１画像を一時バッファ１３０へ格納する旨の指示（以下、第１指示という。）を通知する。ここで、第１指示には、読み出し位置を示すアドレスと、書き込み位置を示すアドレスとを含んでいる。読み出し位置のアドレスとは、第１画像を格納しているフロントバッファ内のバッファ（第３バッファ１０４若しくは第５バッファ１０６）の先頭アドレスであり、書き込み位置のアドレスとは、一時バッファ１３０の先頭アドレスである。なお、第１出力制御部１２０は、第1画像の一時バッファ１３０への格納をバッファの切り替えから２×T０経過するまでの間に終了する。
【００３５】
（第２出力制御部１２１）
第２出力制御部１２１は、表示すべき画像のうち第２ＬＣＤ１５に表示される第２画像の出力に係る制御を行うものである。
第２出力制御部１２１は、切替制御部１１５の制御によるバッファの切り替えが行われたか否かを検知する。具体的には、第２出力制御部１２１は、切替制御部１１５からの切替通知を受け取ったか否かを判断する。
【００３６】
第２出力制御部１２１は、切替制御部１１５の制御によるバッファの切り替えが行われ他と判断する場合、ＤＭＡ転送部１１２に対して、フロントバッファに格納されている第２画像を出力制御用バッファ１０１へ格納する旨の指示（以下、第２指示という。）を通知する。ここで、第２指示には、読み出し位置を示すアドレスと、書き込み位置を示すアドレスとを含んでいる。読み出し位置のアドレスとは、第２画像を格納しているフロントバッファ内のバッファ（第３バッファ１０４若しくは第５バッファ１０６）の先頭アドレスであり、書き込み位置のアドレスとは、出力制御用バッファ１０１の先頭アドレスである。
【００３７】
また、出力制御部１２０は、第２ＬＣＤ１５のリフレッシュに対応して、外部ＬＣＤＣ１３から第２画像の要求を受け付けると、ＤＭＡ転送部１１２に対して、出力制御用バッファ１０１に格納している第２画像を外部ＬＣＤＣ１３を介して第２ＬＣＤ１５へ出力する旨の指示（以下、第３指示という。）を通知する。ここで、第３指示には、読み出し位置を示すアドレスを含んでいる。読み出し位置のアドレスとは、出力制御用バッファ１０１の先頭アドレスである。
【００３８】
なお、バッファの切り替えと、リフレッシュのタイミングが同一である場合には、出力制御部１２０は、ＤＭＡ転送部１１２に対して第３指示を通知した後、第２指示の通知を行う。
（４−４）ＤＭＡ転送部１１２
ＤＭＡ転送部１１２は、表示すべき画像の入出力に係る機能を行うものである。
【００３９】
ＤＭＡ転送部１１２は、第１出力制御部１２０から第１指示を受け取ると、第１指示に基づいて、フロントバッファに格納されている第１画像を、一時バッファ１３０へ転送する。具体的には、ＤＭＡ転送部１１２は、第１指示に含まれる読み出し位置から第１画像を構成する画像データを順次読み出し、読み出した画像データを第１指示に含まれる書き込み位置を起点として順次書き込む。なお、第１画像の一時バッファ１３０への格納は、バッファ切り替えが行われてからＴ０が経過するまでに開始され、２×Ｔ０が経過するまでに完了するものとする。
【００４０】
ＤＭＡ転送部１１２は、第２出力制御部１２１から第２指示を受け取ると、第２指示に基づいて、フロントバッファに格納されている第２画像を読み出して、出力制御用バッファ１０１へ格納する。具体的には、ＤＭＡ転送部１１２は、第２指示に含まれる読み出し位置から、第２画像を構成する画像データを順次読み出す。そして、ＤＭＡ転送部１１２は、読み出した画像データを、第２指示に含まれる書き込み位置を起点として順次書き込む。なお、第２画像の出力制御用バッファ１０１への格納は、バッファ切り替えが行われてからＴ０が経過するまでに開始され、２×Ｔ０が経過するまでに完了するものとする。
【００４１】
ＤＭＡ転送部１１２は、第２出力制御部１２１から第３指示を受け取ると、第３指示に基づいて、出力制御用バッファ１０１に格納されている第２画像を読み出して、外部ＬＣＤＣ１３を介して第２ＬＣＤ１５へ出力する。具体的には、ＤＭＡ転送部１１２は、第３指示に含まれる読み出し位置から、第２画像を構成する画像データを順次読み出す。そして、ＤＭＡ転送部１１２は、読み出した画像データを、外部ＬＣＤＣ１３を介して第２ＬＣＤ１５へ出力する。なお、第２画像の第２ＬＣＤ１５への出力は、リフレッシュが開始されてからＴ０が経過するまでに完了するものとする。
【００４２】
（４−５）ＭＤＤＩ１１３、１１４
モバイルデバイス用のディスプレイを接続するための高速シリアルインタフェースである。ＤＭＡ転送部１１２から読み出された第１画像及び第２画像それぞれは、ＭＤＤＩ１１３及び１１４を介して、外部ＬＣＤＣ１２及び１３へ出力される。
１．３  動作
ここでは、携帯情報端末１の２画面表示機能についての動作について説明する。
【００４３】
（１）画像書込処理
ここでは、画像をフレームバッファ１００に書き込む処理について、図３に示す流れ図を用いて説明する。
切替制御部１１５は、フロントバッファとバックバッファとの切替時期が到来したか否かを判断する（ステップＳ５）。具体的には、切替制御部１１５は、カウンタの値が１に戻ったか否かを判断する。
【００４４】
到来したと判断する場合には（ステップＳ５における「Ｙｅｓ」）、切替制御部１１５は、フロントバッファとバックバッファの切り替えを行う（ステップＳ１０）。
書込部１１０は、切替制御部１１５の制御によるバッファ切り替えが行われると、画像格納部１６に格納されている画像を読み出して、周期Ｔ１内にバックバッファへ書き込む（ステップＳ１５）。
【００４５】
ステップＳ１５の実行後、及び切替時期が到来していないと判断する場合（ステップＳ５における「Ｎｏ」）、処理はステップＳ５へと戻り、次のバッファ切り替えの到来を待つ。
（２）第１画像の格納処理
ここでは、第１画像を一時バッファ１３０に格納する処理について、図４に示す流れ図を用いて説明する。
【００４６】
第１出力制御部１２０は、バッファの切替時期が到来したか否かを判断する（ステップＳ５）。具体的には、第１出力制御部１２０は、切替制御部１１５の制御によるバッファの切り替えが行われたか否かを判断する。
バッファの切替時期が到来したと判断する場合（ステップＳ１００における「Ｙｅｓ」）、第１出力制御部１２０は、外部ＬＣＤＣ１２が表示すべき第１画像の第１ＬＣＤ１４への出力を開始するまで待機する（ステップＳ１０５）。
【００４７】
第１出力制御部１２０は、外部ＬＣＤＣ１２が第１画像の第１ＬＣＤ１４への出力を開始した後、ＤＭＡ転送部１１２に対して、第１指示を通知する。ＤＭＡ転送部１１２は、第１指示を受け取ると、受け取った第１指示に基づいて、フロントバッファに存在する第１画像の一時バッファ１３０への格納を開始する（ステップＳ１１０）。なお、第１画像の一時バッファ１３０への格納は、バッファ切り替えが行われてからＴ０が経過するまでに開始され、２×Ｔ０が経過するまでに完了するものとする。
【００４８】
バッファの切り替えが行われていないと判断する場合（ステップＳ１００における「Ｎｏ」）、及びステップＳ１０５の実行後、処理はステップＳ１００へと戻り、次のバッファ切り替えの到来を待つ。
（３）第１画像の表示処理
ここでは、第１画像を第１ＬＣＤ１４に表示する際の表示処理について、図５に示す流れ図を用いて説明する。
【００４９】
外部ＬＣＤＣ１２は、自身が有するタイマの計時よりリフレッシュの時期が到来したか否かを判断する（ステップＳ１５０）。具体的には、外部ＬＣＤＣ１２は、自身が有するタイマが０となったか否かを判断する。
リフレッシュの時期が到来したと判断する場合（ステップＳ１５０における「Ｙｅｓ」）、外部ＬＣＤＣ１２は、一時バッファ１３０に格納されている第１画像の第１ＬＣＤ１４への出力を開始する（ステップＳ１５５）。なお、第１画像の第１ＬＣＤ１４への出力は、リフレッシュが開始されてからＴ０が経過するまでに完了するものとする。
【００５０】
リフレッシュの時期が到来していないと判断する場合（ステップＳ１５０における「Ｎｏ」）、及びステップＳ１５５の実行後、処理はステップＳ１５０へと戻り、次のリフレッシュ時期の到来を待つ。
（４）第２画像の表示処理
ここでは、第２画像を第２ＬＣＤ１５に表示する際の表示処理について、図６に示す流れ図を用いて説明する。
【００５１】
第２出力制御部１２１は、自身が有するタイマの計時よりリフレッシュの時期が到来したか否かを判断する（ステップＳ２００）。具体的には、外部ＬＣＤＣ１３は、自身が有するタイマが０となったか否かを判断する。
リフレッシュの時期が到来したと判断する場合（ステップＳ２００における「Ｙｅｓ」）、第２出力制御部１２１は、第３指示をＤＭＡ転送部１１２へ通知する。ＤＭＡ転送部１１２は、第２出力制御部１２１から第３指示を受け取ると、第３指示に基づいて、出力制御用バッファ１０１に格納されている第２画像の外部ＬＣＤＣ１３を介して第２ＬＣＤ１５への出力を開始する（ステップＳ２０５）。なお、第２画像の第２ＬＣＤ１５への出力は、リフレッシュが開始されてからＴ０が経過するまでに完了するものとする。
【００５２】
第２出力制御部１２１は、バッファの切替時期が到来したか否かを判断する（ステップＳ２１０）。具体的には、第２出力制御部１２１は、切替制御部１１５の制御によるバッファの切り替えが行われたか否かを判断する。
バッファの切替時期が到来したと判断する場合（ステップＳ２１０における「Ｙｅｓ」）、第２出力制御部１２１は、第２指示をＤＭＡ転送部１１２へ通知する。ＤＭＡ転送部１１２は、第２出力制御部１２１から第２指示を受け取ると、フロントバッファに格納されている第２画像の出力制御用バッファ１０１への格納を開始する（ステップＳ２１５）。なお、第２画像の出力制御用バッファ１０１への格納は、バッファ切り替えが行われてからＴ０が経過するまでに開始され、２×Ｔ０が経過するまでに完了するものとする。
【００５３】
ステップＳ２００でリフレッシュの時期でないと判断する場合（ステップＳ２００における「Ｎｏ」）、及びステップＳ２１０でバッファの切替時期でないと判断する場合（ステップＳ２１０における「Ｎｏ」）、処理はステップＳ２００へ戻る。
１．４  ２画面表示の具体例
ここでは、携帯情報端末１での２画面表示について具体例を用いて説明する。
【００５４】
以下の具体例では、リフレッシュ周期Ｔ０を１／６０秒（ｓｅｃ）とし、バッファの切替周期Ｔ１を１／３０秒とする。
また、処理開始時（０／３０ｓｅｃ）では、第１バッファ１０２、つまり第３バッファ１０４及び第４バッファ１０５をバックバッファとし、第２バッファ１０３、つまり第５バッファ１０６及び第６バッファ１０７をフロントバッファとする。また、図中において、符号Ｂ１０〜Ｂ１３は、ある時点での表示に係る第３バッファ１０４、第５バッファ１０５、一時バッファ１３０及び第１ＬＣＤ１４からなる表示対象群を示し、符号Ｂ２０〜Ｂ２３は、ある時点での表示に係る第４バッファ１０５、第６バッファ１０６、出力制御用バッファ１０１及び第２ＬＣＤ１５からなる表示対象群を示す。
【００５５】
処理開始（０／３０ｓｅｃ）から１／３０ｓｅｃが経過するまで、以下の処理を行う。先ず、外部ＬＣＤＣ１２は、一時バッファ１３０の内容に基づいた、第１ＬＣＤ１４への出力処理を次のリフレッシュ（１／６０ｓｅｃ）までの間行う（ステップＳ２９０）。また、同時期において、外部ＬＣＤＣ１３は、制御部１１に第２画像を要求し、制御部１１は、第２出力制御部１２１及びＤＭＡ転送部１１２の機能により、出力制御用バッファ１０１の内容に基づいた、第２ＬＣＤ１５への出力処理を次のリフレッシュ（１／６０ｓｅｃ）までの間行う（ステップＳ２９１）。次に、ステップＳ２９０の実行が開始された後、制御部１１は、第１出力制御部１２０及びＤＭＡ転送部１１２の機能により、フロントバッファである第５バッファ１０６の内容の一時バッファ１３０への出力処理を、次のバッファ切り替え（２／３０ｓｅｃ）までの間行う（ステップＳ２９２）。１／６０ｓｅｃ時点においては、リフレッシュが開始され、外部ＬＣＤＣ１２はステップＳ２９０と同様に、一時バッファ１３０の内容に基づいた、第１ＬＣＤ１４への出力処理を次のリフレッシュ（１／３０ｓｅｃ）までの間行う（ステップＳ２９３）。また、同時期において、携帯情報端末１は、ステップＳ２９１と同様に、外部ＬＣＤＣ１３、第２出力制御部１２１及びＤＭＡ転送部１１２の機能により、第２ＬＣＤ１５への出力処理を次のリフレッシュ（１／３０ｓｅｃ）までの間行う（ステップＳ２９４）。その後、書込部１１０は、バックバッファである第３バッファ１０４へ書き込み対象の第１画像を書き込む（ステップＳ３００）。その後、書込部１１０は、第４バッファ１０５へ書き込み対象の第１画像と対をなす第２画像を書き込む（ステップＳ３０１）。ここで、表示対象群Ｂ１０は、ステップＳ３００による第１画像が書き込まれる直前の内容を示している。第３バッファ１０４、第５バッファ１０６及び一時バッファ１３０には表示すべき第１画像が格納されておらず、且つ第１ＬＣＤ１４においては何も表示されていない状態である。また、表示対象群Ｂ２０は、ステップＳ３０１による第２画像が書き込まれる直前の内容を示している。第４バッファ１０５、第６バッファ１０７及び出力制御用バッファ１０１には表示すべき第２画像が格納されておらず、且つ第２ＬＣＤ１５においては何も表示されていない状態である。
【００５６】
１／３０ｓｅｃの時点で、バッファ切り替えが行われ、フロントバッファとバックバッファとが入れ替わる。なお、このとき、第１ＬＣＤ１４及び第２ＬＣＤ１５それぞれにおいて画面のリフレッシュも行われる。そして、外部ＬＣＤＣ１２は、ステップＳ２９２の処理により一時バッファ１３０に格納されている内容の出力を開始し、次のリフレッシュ（３／６０ｓｅｃ）までにその出力処理を完了する（ステップＳ３１０）。また、同時期において、外部ＬＣＤＣ１３は、制御部１１に第２画像を要求し、制御部１１は、第２出力制御部１２１及びＤＭＡ転送部１１２の機能により、出力制御用バッファ１０１に格納されている内容の第２ＬＣＤ１５への出力を開始し、次のリフレッシュ（３／６０ｓｅｃ）までにその出力処理を完了する（ステップＳ３１１）。なお、上述したようにステップＳ２９２の処理では一時バッファ１３０へは何も書き込まれていないので、ステップＳ３１０では第１ＬＣＤ１４には何も表示されてない。また、上述したように出力制御用バッファ１０１には表示すべき画像のデータは格納されていないので、ステップＳ３１１においても同様に、第２ＬＣＤ１５には何も表示されていない。
【００５７】
ステップＳ３１０の実行が開始された後、制御部１１は、第１出力制御部１２０及びＤＭＡ転送部１１２の機能により、現時点でフロントバッファに存在し、ステップＳ３００で第３バッファ１０４に格納された第１画像の一時バッファ１３０への出力を開始し、１／３０ｓｅｃから２×Ｔ０（＝２×１／６０）ｓｅｃが経過するまで、つまり次のバッファ切り替え（２／３０ｓｅｃ）までにその出力処理を完了する（ステップＳ３２０）。また、第２出力制御部１２１及びＤＭＡ転送部１１２は、現時点でのフロントバッファに存在し、ステップＳ３０１で第４バッファ１０５に格納された第２画像の出力制御用バッファ１０１への出力を、１／３０ｓｅｃからＴ０ｓｅｃが経過するまでに開始し、１／３０ｓｅｃから２×Ｔ０（＝２×１／６０）ｓｅｃが経過するまでにその出力処理を完了する（ステップＳ３２１）。
【００５８】
３／６０ｓｅｃの時点で、第１ＬＣＤ１４及び第２ＬＣＤ１５それぞれにおいて画面のリフレッシュが行われる。表示対象群Ｂ１１及びＢ２１は、このときの内容を示している。第３バッファ１０４には、ステップＳ３００で書き込まれた第１画像が格納されている。第５バッファ１０６には、現時点では次の画像に含まれる第１画像の書き込みが行われていないので、表示すべき画像は格納されていない。一時バッファ１３０には、ステップＳ３２０による処理が実行中であるので、ステップＳ３００で第３バッファ１０４（現時点でのフロントバッファ）に格納された第１画像が先頭アドレスから一部の画像が格納されている。第１ＬＣＤ１４においては、ステップＳ３１０で出力された画像が表示されるはずであるが、上述したようにステップＳ３１０の実行時には一時バッファ１３０には表示すべき第１画像はないので、何も表示されていない状態である。また、表示対象群Ｂ２１は、表示対象群Ｂ１１と同様の内容となる。
【００５９】
３／６０ｓｅｃの時点での各画面のリフレッシュ開始後、外部ＬＣＤＣ１２は、ステップＳ３２０で一時バッファ１３０に格納された第１画像（ステップＳ３００で第３バッファ１０４に書き込まれた第１画像）の第１ＬＣＤ１４への出力を開始し、次のリフレッシュ（２／３０ｓｅｃ）までにその出力処理を完了する（ステップＳ３３０）。また、外部ＬＣＤＣ１３は、制御部１１に第２画像を要求し、制御部１１は、第２出力制御部１２１及びＤＭＡ転送部１１２の機能により、ステップＳ３２１で出力制御用バッファ１０１に格納された第２画像（ステップＳ３０１で第４バッファ１０５に書き込まれた第２画像）の第２ＬＣＤ１５への出力を開始し、次のリフレッシュ（２／３０ｓｅｃ）までにその出力処理を完了する（ステップＳ３３１）。３／６０〜２／３０ｓｅｃまでにおいて、一時バッファ１３０には、ステップＳ３２０の実行によりフロントバッファである第３バッファ１０４に存在する第１画像が格納されるので、第１ＬＣＤ１４の表示内容は、フロントバッファである第３バッファ１０４に格納されている第１画像と同じものが表示される。また、同期間において、出力制御用バッファ１０１には、ステップＳ３２１の実行により第４バッファ１０５に存在する第２画像が格納されるので、第２ＬＣＤ１５の表示内容は、第４バッファ１０５に格納されている第２画像と同じものが表示される。つまり、３／６０〜２／３０ｓｅｃまでにおいては、表示すべき第１画像と、それと対をなす第２画像とが表示されることとなり、これら画像の表示タイミングがずれることはない。
【００６０】
また、書込部１１０は、１／３０ｓｅｃ時点におけるバッファ切り替えから次のバッファ切り替えが行われるまでに（２／３０ｓｅｃ経過するまでに）、次の画像に含まれる第１画像及び第２画像それぞれを、現時点のバックバッファである第５バッファ１０６及び第６バッファ１０７へ書き込む（ステップＳ３４０、Ｓ３４１）。
その後、２／３０ｓｅｃ時点、及び３／３０ｓｅｃ時点などのように１／３０ｓｅｃ間隔で、バッファ切り替えとリフレッシュとが行われ、そして２／３０ｓｅｃ時点、５／６０ｓｅｃ及び３／３０時点などのように１／６０ｓｅｃ間隔でリフレッシュが行われる。
【００６１】
例えば、携帯情報端末１は、ステップＳ３２０で一時バッファ１３０に格納された第１画像、及びステップＳ３２１で出力制御用バッファ１０１に格納された第２画像それぞれを、次のリフレッシュまでに出力し終える（ステップＳ３５０、Ｓ３５１）。そして、携帯情報端末１は、ステップＳ３５０により一時バッファ１３０に格納されている第１画像を出力し始めた後、ステップＳ３４０で第５バッファ１０６（現時点でのフロントバッファ）に格納された第１画像を次のバッファ切り替えまでに一時バッファ１３０へ出力し終え（ステップＳ３６０）、ステップＳ３４１で第６バッファ１０７（現時点でのフロントバッファ）に格納された第２画像を次のバッファ切り替えまでに出力制御用バッファ１０１へ出力し終える（ステップＳ３６１）。
【００６２】
また、５／６０ｓｅｃで画面のリフレッシュが行われると、携帯情報端末１は、ステップＳ３６０で一時バッファ１３０に格納されている第１画像を、ステップＳ３６１で出力制御用バッファ１０１に格納されている第２画像を、それぞれ第１ＬＣＤ１４及び第２ＬＣＤ１５へ次のリフレッシュまでに出力し終える（ステップＳ３７０、Ｓ３７１）。また、携帯情報端末１は、書込部１１０の機能により、ステップＳ３４０、Ｓ３４１で書き込まれた画像の次の画像に含まれる第１画像及び第２画像それぞれを、その時点でのバックバッファ（第３バッファ１０４及び第４バッファ１０５）へ書き込む（ステップＳ３８０、Ｓ３８１）。
【００６３】
また、３／３０ｓｅｃ以降においても同様に、ステップＳ３９０、Ｓ３９１においては、ステップＳ３６０及びＳ３６１で一時バッファ１３０及び出力制御用バッファ１０１それぞれに格納された第１画像及び第２画像が、第１ＬＣＤ１４及び第２ＬＣＤ１５へ出力される。そして、ステップＳ４００、Ｓ４０１においては、ステップＳ３８０、Ｓ３８１で第３バッファ１０４及び第５バッファ１０６に格納された第１画像及び第２画像が、それぞれ一時バッファ１３０及び出力制御用バッファ１０１へ出力される。ステップＳ４１０、Ｓ４１１においては、ステップＳ４００及びＳ４０１で一時バッファ１３０及び出力制御用バッファ１０１それぞれに格納されている第１画像及び第２画像が、第１ＬＣＤ１４及び第２ＬＣＤ１５へ出力される。さらには、ステップＳ４２０、Ｓ４２１においては、ステップＳ３８０、Ｓ３８１で書き込まれた画像の次の画像に含まれる第１画像及び第２画像それぞれが、その時点でのバックバッファ（第５バッファ１０６及び第６バッファ１０７）へ書き込まれる。
【００６４】
上述したように、本実施の形態の携帯情報端末１は、第１ＬＣＤ１４及び第２ＬＣＤ１５のリフレッシュ周期において、表示すべき第１画像及び第２画像のそれぞれを一時バッファ１３０及び出力制御用バッファ１０１それぞれから読み出している。図７に示すように、あるリフレッシュ周期において、一時バッファ１３０及び出力制御用バッファ１０１それぞれに格納されている第１画像と、第２画像とは対をなしており、これら画像を表示タイミングがずれることはない。
【００６５】
従って、本実施の形態における携帯情報端末１は、第１画像を外部ＬＣＤＣ１２の一時バッファ１３０へ格納した後、つまりバッファの切り替えからＴ０経過後に第１ＬＣＤ１４へ出力され、第２画像は前記切り替えからＴ０経過後に第２ＬＣＤ１５へ出力されるので、第１画像と第２画像との表示のタイミングの同期がとれるという効果を有している。
２．第２の実施の形態
本発明に係る第２の実施の形態としての携帯情報端末１ａについて、第１の実施の形態と異なる点を中心に説明する。  
【００６６】
２．１  概要
２画面表示を行う際に、第１の実施の形態に示す携帯情報端末１では出力制御用バッファ１０１を用いて第１画像と第２画像との表示のタイミングの同期をとったが、本実施の形態における携帯情報端末１ａでは、出力制御用バッファ１０１を用いることなく第１画像と第２画像との表示のタイミングの同期とり、表示する。
【００６７】
以下、携帯情報端末１ａの構成について説明する。
２．２  構成
携帯情報端末１ａの２画面表示機能は、図８に示すように、ＳＤＲＡＭである記憶部１０ａ、プロセッサを含む制御部１１ａ、外部ＬＣＤＣ１２ａ、１３ａ、第１ＬＣＤ１４ａ及び第２ＬＣＤ１５ａから構成されている。
【００６８】
なお、携帯情報端末１ａは、図２においては２画面機能に係る構成要素だけを示しているが、その他キー操作部及び通信機能に係る構成要素など、携帯電話機としての機能を実現する構成要素を備えている。
（１）第１ＬＣＤ１４ａ及び第２ＬＣＤ１５ａ
第１ＬＣＤ１４ａ及び第２ＬＣＤ１５ａそれぞれは、第１の実施の形態に示す第１ＬＣＤ１４及び第２ＬＣＤ１５と同様であるので、ここでの説明は省略する。
【００６９】
（２）記憶部１０ａ
記憶部１０ａには、制御部１１ａによる表示すべき画像の出力を制御するプログラムが格納されている。
また、記憶部１０ａには、第１ＬＣＤ１４ａ及び第２ＬＣＤ１５ａで表示すべき画像が制御部１１ａの制御により格納されるための領域が含まれている。具体的には、記憶部１０には、図８に示すように、フレームバッファ１００ａを構成するメモリ領域が含まれている。なお、フレームバッファ１００ａは、第１の実施の形態に示すフレームバッファ１００と同様であるので、ここでの説明は省略する。
【００７０】
（３）外部ＬＣＤＣ１２ａ及び外部ＬＣＤＣ１３ａ
外部ＬＣＤＣ１２ａ及び１３ａのそれぞれは、第１の実施の形態に示す外部ＬＣＤＣ１２及び１３と同様であるので、ここでの説明は省略する。
（４）制御部１１ａ
制御部１１ａは、プロセッサを含むものであり、携帯情報端末１ａの全体の動作を制御する。
【００７１】
以下、２画面表示に係る機能について説明する。
制御部１１ａは、図８に示すように、書込部１１０ａ、出力制御部１１１ａ、ＤＭＡ転送部１１２ａ及びＭＤＤＩ１１３ａ、１１４ａ、切替制御部１１５ａから構成されている。ここで、書込部１１０ａ、出力制御部１１１ａ、及び切替制御部１１５ａがプロセッサに含まれる構成要素である。
【００７２】
（４−１）切替制御部１１５ａ
切替制御部１１５ａは、第１の実施の形態に示す切替制御部１１５と同様に、周期Ｔ１毎に、フレームバッファ１００に係るバッファ切り替え、つまり第１バッファ１０２と第２バッファ１０３に対してフロントバッファとバックバッファとの切り替えを行う。
具体的には、切替制御部１１５ａは、第１の実施の形態と同様に、フロントバッファを示すアドレス及びバックバッファを示すアドレスそれぞれをポインタにより管理している。また、切替制御部１１５ａは、１からｎ（本実施の形態では。ｎ＝２）まで、ＶＳＹＮＣ信号を受信する毎に繰り返しカウントするカウンタを有している。なお、このカウンタの初期値は１である。切替制御部１１５ａは、外部ＬＣＤＣ１２ａからＶＳＹＮＣ信号を受け取ると、カウンタの値を１加算する。切替制御部１１５ａは、カウンタの値が１に戻った時点で、ポインタの切り替え、つまりフロントバッファを示すアドレスとバックバッファを示すアドレスとを切り替える。これにより、フロントバッファとバックバッファとが切り替えられる。
【００７３】
また、切替制御部１１５ａは、バッファの切替が行われると、バックバッファの書き込みを禁止する旨の通知（以下、書込禁止通知という。）を書込部１１０ａへ通知する。その後、次のＶＳＹＮＣ信号を受け取る、つまりカウンタの値が２となると、バックバッファの書き込みを許可する旨の通知（以下、書込許可通知という。）を書込部１１０ａへ通知する。
【００７４】
（４−２）書込部１１０ａ
書込部１１０ａは、切替制御部１１５ａから書込禁止通知を受け取ると、バックバッファへ書き込みの動作を抑止する。
書込部１１０ａは、切替制御部１１５ａから書込許可通知を受け取ると、画像格納部１６ａに格納された画像を読み出して、次のバッファ切り替えまでの間にバックバッファへ書き込む。
【００７５】
（４−３）出力制御部１１１ａ
出力制御部１１１ａは、表示すべき画像を外部ＬＣＤＣ１２ａ、１３ａへ出力する制御を行うものであり、図８に示すように、第１出力制御部１２０ａと第２出力制御部１２１ａとを含んでいる。
（第１出力制御部１２０ａ）
第１出力制御部１２０ａは、第１の実施の形態に示す第１出力制御部１２０と同様であるので、ここでの説明は省略する。
【００７６】
（第２出力制御部１２１ａ）
第２出力制御部１２１ａは、表示すべき画像のうち第２ＬＣＤ１５ａに表示される第２画像の出力に係る制御を行うものである。
第２出力制御部１２１ａは、周期Ｔ１内におけるリフレッシュ回数を、リフレッシュが開始される度に繰り返しカウントするためのリフレッシュカウンタを有している。なお、リフレッシュカウンタの初期値は０である。なお、本実施の形態においては、周期Ｔ１内におけるリフレッシュ回数は２回であるが、ここでの説明は、リフレッシュ回数はｎ回（ｎは固定の整数）であるとして説明する。
【００７７】
第２出力制御部１２１ａは、切替制御部１１５ａの制御によるバッファの切り替えが行われたか否かを検知する。具体的には、第２出力制御部１２１ａは、切替制御部１１５ａからの切替通知を受け取ったか否かを判断する。
第２出力制御部１２１ａは、切替制御部１１５ａの制御によるバッファの切り替えが行わたと判断する場合、第２ＬＣＤ１５ａへ出力すべき第２画像を読み出すためのバッファを、バックバッファに含まれる該当するバッファとする。具体的には、第２出力制御部１２１ａは、読み出し対象となるバッファの先頭アドレスを示すアドレス情報を管理している。第２出力制御部１２１ａは、切替制御部１１５ａの制御によるバッファの切り替えが行われると、バックバッファに含まれる該当するバッファの先頭アドレスをアドレス情報として管理する。例えば、バックバッファが第１バッファ１０２ａである場合には、読み出し対象のバッファは第４バッファ１０５ａの先頭アドレスがアドレス情報となる。
【００７８】
第２出力制御部１２１ａは、第２ＬＣＤ１５のリフレッシュに対応して、外部ＬＣＤＣ１３から第２画像の要求を受け付けると、リフレッシュカウンタの値が０であるか否かを判断する。
リフレッシュカウンタの値が０であると判断する場合には、第２出力制御部１２１ａは、バッファの切り替え時点で設定されたアドレス情報が示す先頭アドレス、つまりはバックバッファに含まれる該当するバッファの先頭アドレスを含む出力指示をＤＭＡ転送部１１２ａへ通知する。
【００７９】
リフレッシュカウンタの値が０でないと判断する場合には、さらに、第２出力制御部１２１ａは、リフレッシュカウンタの値が１であるか否かを判断する。
リフレッシュカウンタの値が１であると判断する場合には、第２出力制御部１２１ａは、フロントバッファに含まれる該当するバッファの先頭アドレスをアドレス情報として管理し、当該アドレス情報で示される先頭アドレス、つまりフロントバッファに含まれる該当するバッファの先頭アドレスを含む出力指示をＤＭＡ転送部１１２ａへ通知する。
【００８０】
リフレッシュカウンタの値が１でないと判断する場合、つまりはリフレッシュカウンタの値が２以上である場合には、第２出力制御部１２１ａは、リフレッシュカウンタの値が１である場合の際に設定されたアドレス情報に基づいた出力指示をＤＭＡ転送部１１２ａへ通知する。
第２出力制御部１２１ａは、出力指示をＤＭＡ転送部１１２ａへ通知した後、リフレッシュカウンタの値に１加算し、加算結果の値がｎでない場合には次のリフレッシュ時期を待ち、ｎである場合には次のバッファ切り替えの時期を待つ。
【００８１】
（４−４）ＤＭＡ転送部１１２ａ
ＤＭＡ転送部１１２ａは、表示すべき画像の入出力に係る機能を行うものである。
ＤＭＡ転送部１１２ａは、第１出力制御部１２０ａから第１指示を受け取ると、第１指示に基づいて、フロントバッファに格納されている第１画像を、一時バッファ１３０ａへ転送する。具体的には、ＤＭＡ転送部１１２ａは、第１指示に含まれる読み出し位置から第１画像を構成する画像データを順次読み出し、読み出した画像データを第１指示に含まれる書き込み位置を起点として順次書き込む。なお、第１画像の一時バッファ１３０ａへの格納は、バッファ切り替えが行われてからＴ０が経過するまでに開始され、２×Ｔ０が経過するまでに完了するものとする。
【００８２】
ＤＭＡ転送部１１２ａは、第２出力制御部１２１ａから出力指示を受け取ると、出力指示に含まれる先頭アドレス、つまり読み出し対象の先頭アドレスから始まる第２画像を読み出して、外部ＬＣＤＣ１３ａを介して第２ＬＣＤ１５ａへ出力する。具体的には、ＤＭＡ転送部１１２ａは、出力指示に含まれる先頭アドレスから、第２画像を構成する画像データを順次読み出す。そして、ＤＭＡ転送部１１２ａは、読み出した画像データを、外部ＬＣＤＣ１３ａを介して第２ＬＣＤ１５ａへ出力する。なお、第２画像の第２ＬＣＤ１５ａへの出力は、リフレッシュが開始されてからＴ０が経過するまでに完了するものとする。
【００８３】
（４−５）ＭＤＤＩ１１３ａ、１１４ａ
ＭＤＤＩ１１３ａ及び１１４ａのそれぞれは、第１の実施の形態に示すＭＤＤＩ１１３及び１１４のそれぞれと同様であるので、ここでの説明は省略する。
２．３  動作
ここでは、携帯情報端末１ａの２画面表示機能についての動作について説明する。
【００８４】
（１）画像書込処理
ここでは、画像をフレームバッファ１００ａに書き込む処理について、図９に示す流れ図を用いて説明する。
切替制御部１１５ａは、フロントバッファとバックバッファとの切替時期が到来したか否かを判断する（ステップＳ５００）。具体的には、切替制御部１１５ａは、カウンタの値が１に戻ったか否かを判断する。
【００８５】
到来したと判断する場合には（ステップＳ５００における「Ｙｅｓ」）、切替制御部１１５ａは、フロントバッファとバックバッファの切り替えを行う（ステップＳ５０５）。このとき、切替制御部１１５ａが有するカウンタの値は１となっている。
切替制御部１１５ａは、書込禁止通知を書込部１１０ａへ通知し、バッファの切替後から次のＶＳＹＮＣ信号を受け取るまでの間、つまり、カウンタの値が２となるまでの間、書込部１１０ａはバックバッファの書き込みを抑止する（ステップＳ５１０、Ｓ５１５）。切替制御部１１５ａは、次のＶＳＹＮＣ信号を受け取る、つまりカウンタの値が２となると、書込許可通知を書込部１１０ａへ通知する（ステップＳ５２０）。
【００８６】
書込部１１０ａは、切替制御部１１５ａの制御によるバッファ切り替えが行われ、且つ書込許可通知を切替制御部１１５ａから受け取ると、フレームバッファ１００ａへの格納対象である画像を画像格納部１６ａから読み出して、周期Ｔ１内にバックバッファへ書き込む（ステップＳ５２５）。
ステップＳ５２５の実行後、及び切替時期が到来していないと判断する場合（ステップＳ５００における「Ｎｏ」）、処理はステップＳ５００へと戻り、次のバッファ切り替えの到来を待つ。
【００８７】
（２）第１画像の格納処理及び第１画像の表示処理
携帯情報端末１ａが行う第１画像の格納処理及び第１画像の表示処理のそれぞれについては、第１の実施の形態に示す第１画像の格納処理及び第１画像の表示処理それぞれと同様の動作の流れであるので、ここでの説明は省略する。
（３）第２ＬＣＤへの出力制御処理
ここでは、第２画像を第２ＬＣＤ１５ａに表示する際の表示処理について、図１０に示す流れ図を用いて説明する。なお、本実施の形態においては、周期Ｔ１内におけるリフレッシュ回数は２回であるが、ここでの説明は、リフレッシュ回数はｎ回（ｎは固定の整数）であるとして説明する。
【００８８】
第２出力制御部１２１ａは、リフレッシュカウンタｉの値を０とする（ステップＳ６００）。
第２出力制御部１２１ａは、バッファ切替時期が到来したか否かを判断する（ステップＳ６０５）。具体的には、第２出力制御部１２１ａは、切替制御部１１５ａでバッファ切替が行われたか否かを判断する。具体的には、第２出力制御部１２１ａは、切替制御部１１５ａから切替通知を受け取ったか否かを判断する。
【００８９】
バッファ切替時期が到来したと判断する場合（ステップＳ６０５における「Ｙｅｓ」）、第２出力制御部１２１ａは、第２ＬＣＤ１５ａへ出力すべき第２画像を読み出すための読み出し対象バッファを、バックバッファに含まれる該当するバッファとする（ステップＳ６１０）。
第２出力制御部１２１ａは、リフレッシュの時期が到来したか否かを判断する（ステップＳ６１５）。具体的には、第２出力制御部１２１ａは、外部ＬＣＤＣ１３ａから第２画像の要求があったか否かを判断する。
【００９０】
リフレッシュの時期が到来したと判断する場合には、第２出力制御部１２１ａは、リフレッシュカウンタの値が０であるか否かを判断する（ステップＳ６２０）。
リフレッシュカウンタの値が０であると判断する場合には（ステップＳ６２０における「Ｙｅｓ」）、第２出力制御部１２１ａは、読み出し対象であるバックバッファに含まれる該当するバッファの先頭アドレスを含む出力指示をＤＭＡ転送部１１２ａへ通知する。ＤＭＡ転送部１１２ａは、第２出力制御部１２１ａから出力指示を受け取ると、受け取った出力指示に基づいて、読み出し対象のバッファ（バックバッファ）に格納されている第２画像の外部ＬＣＤＣ１３ａを介して第２ＬＣＤ１５ａへの出力を開始する（ステップＳ６２５）。なお、第２画像の第２ＬＣＤ１５ａへの出力は、リフレッシュが開始されてからＴ０が経過するまでに完了するものとする。
【００９１】
第２出力制御部１２１ａは、リフレッシュカウンタの値に１を加算し（ステップＳ６４５）、その結果、リフレッシュカウンタの値がｎであるか否かを判断する（ステップＳ６５０）。リフレッシュカウンタの値がｎであると判断する場合には（ステップＳ６５０における「Ｙｅｓ」）、処理はステップＳ６００へ戻り、リフレッシュカウンタの値がｎでないと判断する場合には（ステップＳ６５０における「Ｎｏ」）、処理はステップＳ６１５へ戻る。
【００９２】
リフレッシュカウンタの値が０でないと判断する場合には（ステップＳ６２０における「Ｎｏ」）、第２出力制御部１２１ａは、リフレッシュカウンタの値が１であるか否かを判断する（ステップＳ６３０）。
リフレッシュカウンタの値が１であると判断する場合には（ステップＳ６３０における「Ｙｅｓ」）、第２出力制御部１２１ａは、第２ＬＣＤ１５ａへ出力すべき第２画像を読み出すための読み出し対象バッファを、フロントバッファに含まれる該当するバッファとする（ステップＳ６３５）。
【００９３】
リフレッシュカウンタの値が１でないと判断する場合には（ステップＳ６３０における「Ｎｏ」）、及びステップＳ６３５が実行された後、第２出力制御部１２１ａは、読み出し対象であるフロントバッファに含まれる該当するバッファの先頭アドレスを含む出力指示をＤＭＡ転送部１１２ａへ通知する。ＤＭＡ転送部１１２ａは、第２出力制御部１２１ａから出力指示を受け取ると、受け取った出力指示に基づいて、読み出し対象のバッファ（フロントバッファ）に格納されている第２画像の外部ＬＣＤＣ１３ａを介して第２ＬＣＤ１５ａへの出力を開始する（ステップＳ６４０）。その後、処理はステップＳ６４５以降の処理を行う。なお、第２画像の第２ＬＣＤ１５ａへの出力は、リフレッシュが開始されてからＴ０が経過するまでに完了するものとする。
【００９４】
２．４  ２画面表示の具体例
ここでは、携帯情報端末１ａでの２画面表示について具体例を用いて説明する。
以下の具体例では、リフレッシュ周期Ｔ０を１／６０ｓｅｃとし、バッファの切替周期Ｔ１を１／３０ｓｅｃとする。つまり、上記の関係式Ｔ１＝ｎ×Ｔ０において、ｎ＝２とする。
【００９５】
また、処理開始時（０／３０ｓｅｃ）では、第３バッファ１０４ａ及び第４バッファ１０５ａをバックバッファとし、第５バッファ１０６ａ及び第６バッファ１０７ａをフロントバッファとする。また、処理開始時点では、第２画像を読み出すための読み出し対象バッファをバックバッファである第４バッファ１０４ａとする。ここで、図中において、符号Ｂ３０〜Ｂ３６は、ある時点での表示に係る第３バッファ１０４ａ、第５バッファ１０５ａ、一時バッファ１３０ａ及び第１ＬＣＤ１４ａからなる表示対象群を示し、符号Ｂ４０〜Ｂ４６は、ある時点での表示に係る第４バッファ１０５ａ、第６バッファ１０６ａ及び第２ＬＣＤ１５ａからなる表示対象群を示す。
【００９６】
処理開始（０／３０ｓｅｃ）から１／６０ｓｅｃが経過するまで、以下の処理を行う。先ずバックバッファ（この時点では、第３バッファ１０４ａ及び第４バッファ１０５ａ）への書き込みが禁止される（ｔ１）。外部ＬＣＤＣ１２ａは、一時バッファ１３０ａの内容に基づいた、第１ＬＣＤ１４ａへの出力処理を次のリフレッシュ（１／６０ｓｅｃ）までの間行う（ステップＳ６９０）。また、同時期において、外部ＬＣＤＣ１３ａは、制御部１１ａに第２画像を要求し、制御部１１ａは、第２出力制御部１２１ａ及びＤＭＡ転送部１１２ａの機能により、バックバッファ（ここでは、第４バッファ１０５ａ）の内容に基づいた、第２ＬＣＤ１５ａへの出力処理を次のリフレッシュ（１／６０ｓｅｃ）までの間行う（ステップＳ６９１）。次に、ステップＳ６９０の実行が開始された後、制御部１１ａは、第１出力制御部１２０ａ及びＤＭＡ転送部１１２ａの機能により、フロントバッファである第５バッファ１０６ａの内容の一時バッファ１３０ａへの出力処理を、次のバッファ切り替え（２／３０ｓｅｃ）までの間行う（ステップＳ６９２）。１／６０ｓｅｃ時点においては、リフレッシュが開始され、さらには第２画像を読み出すための読み出し対象バッファがフロントバッファである第６バッファ１０７ａへと変更される。そして外部ＬＣＤＣ１２はステップＳ６９０と同様に、一時バッファ１３０ａの内容に基づいた、第１ＬＣＤ１４ａへの出力処理を次のリフレッシュ（１／３０ｓｅｃ）までの間行う（ステップＳ６９３）。また、同時期において、携帯情報端末１は、ステップＳ６９１と同様に、外部ＬＣＤＣ１３ａ、第２出力制御部１２１ａ及びＤＭＡ転送部１１２ａの機能により、第２ＬＣＤ１５ａへの出力処理を次のリフレッシュ（１／３０ｓｅｃ）までの間行う（ステップＳ６９４）。その後、処理開始（０／３０ｓｅｃ）からＴ０経過後、バックバッファへの書き込みが許可されると、書込部１１０ａは、バックバッファである第３バッファ１０４ａへ書き込み対象である第１画像を書き込む（ステップＳ７００）。その後、書込部１１０ａは、第４バッファ１０５ａへ前記第１画像と対をなす第２画像を書き込む（ステップＳ７０１）。ここで、表示対象群Ｂ３０は、ステップＳ７００により第１画像が書き込まれる直前の各要素の内容を示している。第３バッファ１０４ａ、第５バッファ１０６ａ及び一時バッファ１３０ａには表示すべき第１画像が格納されておらず、且つ第１ＬＣＤ１４ａにおいては何も表示されていない状態である。また、表示対象群Ｂ４０は、ステップＳ７０１による第２画像が書き込まれる直前の各要素の内容を示している。第４バッファ１０５ａ及び第６バッファ１０７ａには表示すべき第２画像が格納されておらず、且つ第２ＬＣＤ１５ａにおいては何も表示されていない状態である。
【００９７】
１／３０ｓｅｃの時点で、バッファ切り替えが行われ、フロントバッファとバックバッファとが入れ替わる。なお、このとき、第１ＬＣＤ１４ａ及び第２ＬＣＤ１５ａそれぞれにおいて画面のリフレッシュも行われる。また、１／３０から３／６０ｓｅｃまでの間は、バックバッファへの書き込みが禁止され（ｔ２）、第２画像の読み出し対象はバックバッファ（第６バッファ１０７ａ）となる。
【００９８】
外部ＬＣＤＣ１２ａは、ステップＳ６９２の処理により一時バッファ１３０ａに格納された内容の出力を開始し、次のリフレッシュ（３／６０ｓｅｃ）までにその出力処理を完了する（ステップＳ７１０）。また、外部ＬＣＤＣ１３ａは、制御部１１ａに第２画像を要求し、制御部１１ａは、第２出力制御部１２１ａ及びＤＭＡ転送部１１２ａの機能により、第６バッファ１０７ａに格納されている内容の第２ＬＣＤ１５ａへの出力を開始し、次のリフレッシュ（３／６０ｓｅｃ）までにその出力処理を完了する（ステップＳ７１１）。なお、上述したようにステップＳ６９２の処理では一時バッファ１３０ａへは何も書き込まれていないので、ステップＳ７１０では第１ＬＣＤ１４ａには何も表示されてない。また、上述したように読み出し対象のバッファ（第６バッファ１０７ａ）には表示すべき画像のデータは格納されていないので、ステップＳ７１１においても同様に、第２ＬＣＤ１５ａには何も表示されていない。
【００９９】
ステップＳ７１０の実行が開始された後において、制御部１１ａは、第１出力制御部１２０ａ及びＤＭＡ転送部１１２ａの機能により、この時点でフロントバッファに存在し、ステップＳ７００で第３バッファ１０４ａに格納された第１画像の一時バッファ１３０ａへの出力を開始し、１／３０ｓｅｃから２×Ｔ０（＝２×１／６０）ｓｅｃが経過するまで、つまり次のバッファ切り替え（２／３０ｓｅｃ）までにその出力処理を完了する（ステップＳ７２０）。
【０１００】
ここで、表示対象群Ｂ３１、Ｂ４１は、１／３０ｓｅｃ時点でのバッファ切替が行われた直後の各要素の内容を示すものである。第３バッファ１０４ａにはステップＳ７００により、表示すべき第１画像が格納されている。第５バッファ１０６ａ及び一時バッファ１３０ａには表示すべき第１画像が格納されていないので、第１ＬＣＤ１４ａにおいては、何も表示されていない状態である。また、第４バッファ１０５ａにはステップＳ７０１により、表示すべき第２画像が格納されている。当該バッファ切替直前まで第２画像の読み出し対象であった第６バッファ１０７ａには表示すべき第２画像が格納されていないので、第２ＬＣＤ１５ａにおいては、何も表示されていない状態である。
【０１０１】
３／６０ｓｅｃの時点で、第１ＬＣＤ１４ａ及び第２ＬＣＤ１５ａそれぞれにおいて画面のリフレッシュが行われる。また、バックバッファ（第６バッファ１０７ａ）への書き込みが許可され、且つ第２画像の読み出し対象がバックバッファ（第６バッファ１０７ａ）からフロントバッファ（第４バッファ１０５ａ）へ変更される。ここで、表示対象群Ｂ３２及びＢ４２は、バッファ切替時点での内容を示している。第３バッファ１０４ａには、ステップＳ７００で書き込まれた第１画像が格納されている。第５バッファ１０６ａには、現時点では次の画像に含まれる第１画像の書き込みが行われていないので、表示すべき画像は格納されていない。一時バッファ１３０ａには、ステップＳ７２０による処理が実行中であるので、現時点でのフロントバッファの第３バッファ１０４ａに格納されている第１画像の先頭アドレスからの一部の画像が格納されている。第１ＬＣＤ１４ａにおいては、ステップＳ７１０で出力された画像が表示されるはずであるが、ステップＳ７１０の実行には一時バッファ１３０ａには表示すべき第１画像がなかったので、何も表示されていない状態である。また、表示対象群Ｂ４２は、第４バッファ１０５ａには、第３バッファ１０４ａに格納されている第１画像と対をなす第２画像が格納され、第６バッファ１０７ａには何も格納されていない状態であり、第２ＬＣＤ１５ａでは何も表示されていない状態である。
【０１０２】
３／６０ｓｅｃでのリフレッシュ開始後、外部ＬＣＤＣ１２ａは、ステップＳ７２０の処理により一時バッファ１３０ａに格納されている第１画像の第１ＬＣＤ１４ａへの出力を開始し、次のリフレッシュ契機（２／３０ｓｅｃ）までにその出力処理を完了する（ステップＳ７３０）。また、外部ＬＣＤＣ１３ａは、制御部１１ａに第２画像を要求し、制御部１１ａは、第２出力制御部１２１ａ及びＤＭＡ転送部１１２ａの機能により、ステップＳ７０１で第４バッファ１０５ａに格納された第２画像の第２ＬＣＤ１５ａへの出力を開始し、次のリフレッシュ契機（２／３０ｓｅｃ）までにその出力処理を完了する（ステップＳ７３１）。このとき、ステップＳ７２０の実行により一時バッファ１３０ａにはその時点でフロントバッファである第３バッファ１０４ａに存在する第１画像が格納されるので、３／６０及び２／３０ｓｅｃでのリフレッシュでは、第１ＬＣＤ１４ａに対しては第３バッファ１０４ａに格納されている第１画像が出力される。また、ステップＳ７３１の実行により第４バッファ１０５ａに存在する第２画像が出力されるので、第２ＬＣＤ１５ａでは第１ＬＣＤ１４ａに表示される第１画像と対をなす第２画像が表示される。つまり、３／６０〜２／３０ｓｅｃまでにおいては、表示すべき第１画像と、それと対をなす第２画像とが出力されることとなり、次のリフレッシュ契機直前までは、表示すべき第１画像と、それと対をなす第２画像とからなる画像が表示される。つまり、表示すべき画像を構成する第１画像と第２画像との表示タイミングがずれることはない。
【０１０３】
また、書込部１１０ａは、１／３０ｓｅｃ時点におけるバッファ切り替えから次のバッファ切り替えが行われるまでの間のうち、書き込みが許可された期間（３／６０から２／３０ｓｅｃ）において、ステップＳ７００、Ｓ７０１で書き込まれた画像の次の画像に含まれる第１画像及び第２画像それぞれを、現時点のバックバッファである第５バッファ１０６ａ及び第６バッファ１０７ａへ書き込む（ステップＳ７４０、Ｓ７４１）。
【０１０４】
２／３０ｓｅｃの時点で、バッファ切り替え、及び画面のリフレッシュが行われる。また、２／３０から５／６０ｓｅｃまでの間は、バックバッファへの書き込みが禁止され（ｔ３）、第２画像の読み出し対象はバックバッファ（第４バッファ１０５ａ）となる。
外部ＬＣＤＣ１２ａは、ステップＳ７２０で一時バッファ１３０ａに格納された第１画像の出力を開始し、次のリフレッシュ（５／６０ｓｅｃ）までにその出力処理を完了する（ステップＳ７５０）。また、外部ＬＣＤＣ１３ａは、制御部１１ａに第２画像を要求する。制御部１１ａは、第２出力制御部１２１ａ及びＤＭＡ転送部１１２ａの機能により、ステップＳ７０１で第４バッファ１０５ａに格納された第２画像の第２ＬＣＤ１５ａへの出力を開始し、次のリフレッシュ（５／６０ｓｅｃ）までにその出力処理を完了する（ステップＳ７５１）。
【０１０５】
ステップＳ７５０の実行が開始された後、制御部１１ａは、ステップＳ７４０で第３バッファ１０４ａ（この時点でのフロントバッファ）に格納された第１画像の一時バッファ１３０ａへの出力を開始し、２／３０ｓｅｃから２×Ｔ０ｓｅｃが経過するまで、つまり次のバッファ切り替え（３／３０ｓｅｃ）までにその出力処理を完了する（ステップＳ７６０）。
【０１０６】
ここで、表示対象群Ｂ３３、Ｂ４３は、２／３０ｓｅｃ時点でのバッファ切替が行われた直後の各要素の内容を示すものである。第３バッファ１０４ａにはステップＳ７００の実行により出力された第１画像が格納されている。第５バッファ１０６ａには、ステップＳ７４０の実行により出力された第１画像が格納されている。また、一時バッファ１３０ａには第３バッファ１０４ａに格納されている第１画像と同様の画像が格納されているので、ステップＳ７３０により第１ＬＣＤ１４ａでは、第３バッファ１０４ａに格納されている第１画像と同様の画像が表示されている。さらに、第４バッファ１０５ａにはステップＳ７０１の実行により出力された第２画像が格納されている。第６バッファ１０７ａにはステップＳ７４１の実行により出力された第２画像が格納されている。第２ＬＣＤ１５ａにおいては、ステップＳ７３１の実行によりフロントバッファである第４バッファ１０５ａに格納されている第２画像が表示されている。
【０１０７】
さらに、表示対象群Ｂ３４、Ｂ４４は、５／６０ｓｅｃ時点での画面リフレッシュが行われた直後の各要素の内容を示すものである。第３バッファ１０４ａにはステップＳ７００の実行により出力された第１画像が格納されている。第５バッファ１０６ａには、ステップＳ７４０の実行により出力された第１画像が格納されている。また、一時バッファ１３０ａには、ステップＳ７５０による処理が実行中であるので、現時点でのフロントバッファの第５バッファ１０６ａに格納されている第１画像の先頭アドレスからの一部の画像と、ステップＳ７２０の実行により格納された前回の第１画像のうち未だ更新されていない一部の画像とが格納されている。さらには、ステップＳ７５０により第１ＬＣＤ１４ａでは、第３バッファ１０４ａに格納されている第１画像と同様の画像が表示されている。さらに、第４バッファ１０５ａにはステップＳ７０１の実行により出力された第２画像が格納されている。第６バッファ１０７ａにはステップＳ７４１の実行により出力された第２画像が格納されている。第２ＬＣＤ１５ａにおいては、ステップＳ７５１の実行によりバックバッファである第４バッファ１０５ａに格納されている第２画像が表示されている。
【０１０８】
その後、２／３０ｓｅｃ時点、及び３／３０ｓｅｃ時点などのように１／３０ｓｅｃ間隔で、バッファ切り替えとリフレッシュとが行われ、そして２／３０ｓｅｃ時点、５／６０ｓｅｃ及び３／３０時点などのように１／６０ｓｅｃ間隔でリフレッシュが行われる。
例えば、携帯情報端末１ａは、ステップＳ７２０で一時バッファ１３０ａに格納された第１画像、及びステップＳ７０１で第４バッファ１０５ａに格納された第２画像それぞれを、次のリフレッシュまでに出力し終える（ステップＳ７５０、Ｓ７５１）。そして、携帯情報端末１ａは、ステップＳ７５０による処理を開始した後、ステップＳ７４０で第５バッファ１０６ａ（現在のフロントバッファ）に格納された第１画像を次のバッファの切り替えまでに一時バッファ１３０ａに出力し終える（ステップＳ７６０）。また、５／６０ｓｅｃで画面のリフレッシュが行われると、携帯情報端末１ａは、ステップＳ７６０で一時バッファ１３０ａに格納されている第１画像を、ステップＳ７４１で第６バッファ１０７に格納された第２画像を、それぞれ第１ＬＣＤ１４ａ及び第２ＬＣＤ１５ａへ次のリフレッシュまでに出力し終える（ステップＳ７７０、Ｓ７７１）。また、携帯情報端末１ａは、書込部１１０ａの機能により、ステップＳ７４０、Ｓ７４１で書き込まれた次の画像に含まれる第１画像及び第２画像それぞれを、その時点のバックバッファ（第３バッファ１０４ａ及び第４バッファ１０５ａ）へ書き込む（ステップＳ７８０、Ｓ７８１）。
【０１０９】
また、３／３０ｓｅｃ以降においても同様に、ステップＳ７９０、Ｓ７９１においては、ステップＳ３６０で一時バッファ１３０ａに格納された第１画像、及びステップＳ７４１で第６バッファ１０７ａに格納された第２画像が、第１ＬＣＤ１４ａ及び第２ＬＣＤ１５ａへ出力される。そして、ステップＳ８００においては、ステップＳ７８０で第３バッファ１０４に格納された第１画像が一時バッファ１３０ａへ出力される。ステップＳ８１０、Ｓ８１１においては、ステップＳ８００で一時バッファ１３０に格納されている第１画像、及びステップＳ７８１で第４バッファ１０５ａに格納された第２画像が、第１ＬＣＤ１４ａ及び第２ＬＣＤ１５ａへ出力される。さらには、ステップＳ８２０、Ｓ８２１においては、ステップＳ７８０、Ｓ７８１で書き込まれた画像の次の画像に含まれる第１画像及び第２画像それぞれが、その時点でのバックバッファ（第５バッファ１０６ａ及び第６バッファ１０７ａ）へ書き込まれる。
【０１１０】
上述したように、本実施の形態の携帯情報端末１ａは、第１ＬＣＤ１４ａ及び第２ＬＣＤ１５ａのリフレッシュ周期において、表示すべき第１画像を一時バッファ１３０ａから読み出し、表示すべき第２画像を、当該第２画像を格納しているフレームバッファから読み出している。図１１に示すように、あるリフレッシュ周期において、一時バッファ１３０ａから読み出す第１画像と、読み出し対象であるバッファから出力される第２画像とは対をなしており、これら画像を表示タイミングがずれることはない。
【０１１１】
従って、本実施の形態における携帯情報端末１ａは、第１画像を外部ＬＣＤＣ１２ａの一時バッファ１３０ａへ格納した後、つまりバッファの切り替えからＴ０経過後に第１ＬＣＤ１４ａへ出力され、第２画像は前記切り替えからＴ０経過後に第２ＬＣＤ１５ａへ出力されるので、第１画像と第２画像との表示のタイミングの同期がとれるという効果を有している。
【０１１２】
３．変形例
以上、実施の形態に基づいて説明したが、本発明は上記の実施の形態に限られない。例えば、以下のような変形例が考えられる。
（１）上記第１の実施の形態において、携帯情報端末１は、２つの外部ＬＣＤＣ１２、１３を用いる構成としたが、これに限定されない。
【０１１３】
携帯情報端末１において、一時バッファを有しない外部ＬＣＤＣ１３の代わりに、図１２に示すように内蔵ＬＣＤＣ１３ｂを制御部１１の内部に設ける構成としてもよい。内蔵ＬＣＤＣ１３ｂの機能は、外部ＬＣＤＣ１３と同様の機能であるので、ここでの説明は省略する。また、この場合、ＭＤＤＩ１１４の代わりにＲＧＢ（Ｒｅｄ−Ｇｒｅｅｎ−Ｂｌｕｅ  ｃｏｌｏｒ  ｍｏｄｅｌ）端子１１４ｂが用いられる。ＲＧＢ１１４ｂは、ディスプレイを接続するための汎用的なインタフェースである。なお、ＲＧＢ１１４ｂは、公知なものであるのでここでの具体的な説明は省略する。
【０１１４】
また、第２の実施の形態においても、同様に、携帯情報端末１ａは、外部ＬＣＤＣ１３ａの代わりに、内蔵ＬＣＤＣを制御部１１の内部に設けてもよい。この場合の内蔵ＬＣＤＣの機能は、外部ＬＣＤＣ１３ａと同様の機能であるので、ここでの説明は省略する。また、この場合も上記と同様に、ＭＤＤＩ１１４ａの代わりにＲＧＢが用いられる。
（２）上記第１及び第２の実施の形態において、周期Ｔ１は、条件式“Ｔ１＝ｎ×Ｔ０”においてｎ＝２としたが、これに限定されない。
【０１１５】
ｎは２以上の固定的な整数であればよい。
例えば、第１の実施の形態においては、バッファの切り替えが行われると一時バッファ１３０への書き込み及び出力制御用バッファ１０１への書き込みが開始される。そして、当該バッファの切り替えからＴ０経過以後のｎ回のリフレッシュにおいては、外部ＬＣＤＣ１２は一時バッファ１３０に格納されている第１画像を、先頭データから順次出力する。第２出力制御部１２１は、出力制御用バッファ１０１に格納されている第２画像を、外部ＬＣＤＣ１３を介して先頭データから順次出力する。
【０１１６】
また、第２の実施の形態のおいては、バッファの切り替えが行われると一時バッファ１３０ａへの書き込みが開始される。そして、当該バッファの切り替えからＴ０経過以後のｎ−１回のリフレッシュにおいては、外部ＬＣＤＣ１２ａは一時バッファ１３０ａに格納されている第１画像を、先頭データから順次出力する。また、第２出力制御部１２１ａは、フロントバッファに格納されている第２画像を、外部ＬＣＤＣ１３ａを介して先頭データから順次出力する。その後のリフレッシュ時、つまり次のバッファの切り替え時においては、外部ＬＣＤＣ１２ａは一時バッファ１３０ａに格納されている第１画像を、先頭データから順次出力する。また、第２出力制御部１２１ａは、バックバッファ（この時点では書き込みが禁止されている。）に格納されている第２画像を、外部ＬＣＤＣ１３ａを介して先頭データから順次出力する。
【０１１７】
（３）上記第１の実施の形態における条件式において、ｎ＝１としてもよい。この場合、画面のリフレッシュ毎にバッファの切替が行われる。そこで、携帯情報端末１は、周期Ｔ１内において、バックバッファへの画像の書き込み、一時バッファ１３０から第１ＬＣＤ１４への第１画像の出力、出力制御用バッファ１０１から第２ＬＣＤ１５への第２画像の出力、一時バッファ１３０への次の第１画像の出力、及び出力制御用バッファ１０１への次の第２画像の出力を行えばよい。
【０１１８】
また、第２の実施の形態においても、同様に、ｎ＝１としてもよい。この場合、携帯情報端末１ａは、周期Ｔ１内においてバックバッファへの書き込み禁止期間と許可期間とを設け、書き込み禁止期間において、一時バッファ１３０ａから第１ＬＣＤ１４ａへの第１画像の出力と、バックバッファから第２ＬＣＤ１５ａへの第２画像の出力とを行い、書き込み許可期間においてバックバッファへの画像の書き込みを行えばよい。また、書き込み禁止期間と許可期間に関わらず周期Ｔ１内において一時バッファ１３０ａから第１ＬＣＤ１４ａへの第１画像の出力後、一時バッファ１３０への次の第１画像の出力を行えばよい。
【０１１９】
（４）上記第１及び第２の実施の形態において、携帯情報端末として携帯電話機を一例としてあげたが、これに限定されない。
携帯情報端末は、携帯電話機に限らず、２画面表示機能を有する携帯型の装置、例えば、２つのＬＣＤを備えるＰＤＡ（Ｐｅｒｓｏｎａｌ  Ｄｉｇｉｔａｌ  Ａｓｓｉｓｔａｎｔｓ）に適用してもよい。
【０１２０】
また、上記各実施の形態において、本発明を説明するために、一例として携帯型の情報端末を用いた。しかしながら、本発明を実施するための端末は携帯型の端末には限定されない。２画面表示機能を有する電子機器であればよい。
なお、本発明では、２画面表示機能を有する電子機器を総称して、表示装置という。
（５）上記第１の実施の形態において、画像を２つに分割して、表示する２画面表示機能について説明したが、これに限定されない。
【０１２１】
１つの画像をｍ個（ｍは２以上の整数）に分割して、ｍ個のＬＣＤを用いて表示してもよい。
例えば、第１の実施の形態においては、１つのＬＣＤに対してのみ一時バッファを備えた外部ＬＣＤＣを用い、残りのｍ−１個のＬＣＤに対しては一時バッファを備えていない外部ＬＣＤＣを用いる。さらに、記憶部には、ｍ−１個のＬＣＤそれぞれに対応した出力制御用バッファを備える。そして、バッファ切替が行われると、一時バッファを備えた外部ＬＣＤＣの当該一時バッファへ表示すべき画像（第１画像）が出力され、他の表示すべき画像（第２画像から第ｍ画像）それぞれは、ｍ−１個のうち対応する出力制御用バッファへ出力される。また、リフレッシュ時においては、一時バッファから第１画像が読み出され、各出力制御用バッファから第２画像から第ｍ画像が読み出され、表示される。
【０１２２】
また、第２の実施の形態においては、１つのＬＣＤに対してのみ一時バッファを備えた外部ＬＣＤＣを用い、残りのｍ−１個のＬＣＤに対しては一時バッファを備えていない外部ＬＣＤＣを用いる。そして、バッファ切替からＴ０経過以後のリフレッシュ時においては、一時バッファから第１画像が読み出され、記憶部においてはフロントバッファから第２画像から第ｍ画像が読み出される。そしてバッファ切替が行われると、第２画像から第ｍ画像はバックバッファから読み出される。
【０１２３】
（６）上記第１及び第２の実施の形態において、表示すべき画像は１つの画像全体として説明したが、これに限定されない。
１つの画像のうち一部分の画像に対して分割を行って、２画面表示をしてもよい。
（７）上記第２の実施の形態において、書込部１１０ａは、バッファ切替からＴ０（次のリフレッシュ）が経過するまでの間、つまり切替制御部１１５ａから書込禁止通知を受け取ってから、書込許可通知を受け取るまでの間、バックバッファへの書き込みを抑止したが、これに限定されない。
【０１２４】
第１出力制御部１２０ａ及び第２出力制御部１２１ａの動作により読み出された画像データのアドレスから、順次書き込むように制御してもよい。
（８）上記第１の実施の形態において、携帯情報端末１は、図１(a)に示す閉状態においては、第１ＬＣＤ１４のみを用いて画像を表示し、表示中において、閉状態から開状態へと状態が変更されると、２画面表示の機能を起動して、表示すべき画像の第１画像及び第２画像の表示のタイミングの同期をとりながら第１ＬＣＤ１４及び第２ＬＣＤ１５を用いて２画面表示を行うとしてもよい。
【０１２５】
つまりは、携帯情報端末１は、自身の開閉の状態に応じて、第１ＬＣＤ１４のみを用いた画像の表示、及び第１ＬＣＤ１４及び第２ＬＣＤ１５を用いた２画面表示を行ってもよい。
また、第２の実施の形態においても同様に、携帯情報端末１ａは、自身の開閉の状態に応じて、第１ＬＣＤ１４ａのみを用いた画像の表示、及び第１ＬＣＤ１４ａ及び第２ＬＣＤ１５ａを用いた２画面表示を行ってもよい。
【０１２６】
（９）上記の実施の形態で説明した手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
また、当該手法の手順を記述したプログラムを記録媒体に格納して、頒布するようにしてもよい。
【０１２７】
（１０）上記実施の形態及び変形例を組み合わせるとしてもよい。
（１１）なお、本発明における第１表示手段及び第２表示手段それぞれは、上記実施の形態における第１ＬＣＤ及び第２ＬＣＤに相当するものである。
また、本発明における表示制御手段は、上記実施の形態における一時バッファを有する外部ＬＣＤＣに相当するものである。
【０１２８】
本発明における第１出力手段は、上記実施の形態における第１出力制御部、ＤＭＡ転送部及びＭＤＤＩによる第１画像の出力に係る機能に相当するものである。
本発明における第２出力手段は、上記実施の形態における第２出力制御部、ＤＭＡ転送部、ＭＤＤＩ、一時バッファを有しない外部ＬＣＤＣ（若しくは内部ＬＣＤＣ）による第２画像の出力に係る機能に相当するものである。
【０１２９】
４．まとめ
（１）上記実施の形態及び上記変形例に示される、連続する画像それぞれを第１画像と第２画像とに分割して２画面で表示する表示装置は、第１画像を表示し、表示に係るリフレッシュの周期がＴ０である第１表示手段と、第２画像を表示し、表示に係るリフレッシュのタイミングが前記第１表示手段と同じである第２表示手段と、周期Ｔ１＝ｎ×Ｔ０を満たす周期Ｔ１毎に（ｎは２以上の整数）、画像の書き込み対象と読み出し対象とが交互に切り替えられる２つの画像格納領域を含むメモリと、第１画像を格納する一時格納領域を有し、２つの画像格納領域に係る切り替えからＴ０経過以後のｎ回それぞれのリフレッシュに対応して当該一時格納領域に格納されている第１画像を、当該第１画像の先頭データから順次前記第１表示手段へ出力する表示制御手段と、前記連続する画像毎に、前記周期Ｔ１内で当該画像を書き込み対象である画像格納領域へ逐次書き込む書込手段と、２つの画像格納領域に係る切り替えが行われる度に、読み出し対象の画像格納領域に存在する画像の第１画像を読み出して、２×Ｔ０が経過するまでの間に前記一時格納領域へ格納する第１出力手段と、前記切り替えからＴ０経過以後のｎ回それぞれのリフレッシュに対応して、前記切り替えのタイミングで前記第１出力手段が出力した第１画像と対をなし、前記メモリに存在する第２画像を、当該第２画像の先頭データから順次前記第２表示手段に出力する第２出力手段とを備えることを特徴とする。
【０１３０】
この構成によると、表示装置は、第１画像に対しては一時メモリを有する表示制御手段で第１表示手段への出力を制御し、第２画像に対しては第１画像が一時格納領域から読み出されるタイミングで、一時格納領域を利用することなく第２出力手段で第２表示手段への出力を制御している。このように第２画像の出力のタイミングを制御することで、全ての表示手段に対して一時格納領域を有する表示制御手段を用いる場合に比べて製造コストは抑えられており、また、全ての表示手段に対して一時格納領域を利用することなく画像の出力を制御する場合に比べて当該表示装置の制御を行うアプリケーションプロセッサの処理負担も抑えられている。さらには、第１画像は表示制御手段の一時格納領域へ格納された後、つまり２つの画像格納領域に係る切り替えからＴ０経過後に第１表示手段へ出力され、第２画像は第２出力手段により前記切り替えからＴ０経過後に第２表示手段へ出力されるので、第１画像と第２画像との表示のタイミングが同一なっている。
【０１３１】
（２）ここで、前記第２出力手段は、前記切り替えからＴ０経過以後から、前記２つの画像格納領域に係る次の切り替えがなされる時点までに行われるｎ−１回それぞれのリフレッシュに対応して前記読み出し対象の画像格納領域に存在する前記第２画像を前記第２表示手段へ出力し、前記次の切り替えが行われると、前記書込手段により次の画像が書き込まれる前に書き込み対象の画像格納領域から前記第２画像を前記第２表示手段へ出力するとしてもよい。
【０１３２】
この構成によると、表示装置は、２つの画像格納領域に係る切り替えからＴ０経過以後から次の切り替えがなされる時点までに行われるｎ−１回それぞれのリフレッシュにおうては読み出し対象の画像格納領域に存在する前記第２画像を表示し、前記次の切り替えが行われると書込手段により次の画像が書き込まれる前に書き込み対象の画像格納領域に存在する前記第２画像を表示するので、第１画像と第２画像との表示のタイミングを同一にすることができる。
【０１３３】
（３）ここで、前記書込手段は、前記２つの画像格納領域に係る切り替えからＴ０経過するまでの間は、書き込み対象の画像格納領域への画像の書き込みを抑止し、前記第２出力手段は、前記第２表示手段へ出力すべき第２画像の格納先の画像格納領域を示す領域情報を管理しており、前記切り替えを起点として前記周期Ｔ０が経過した時点で領域情報の内容を前記第２画像の格納先の画像格納領域は読み出し対象の領域であることを示すものへと変更し、前記次の切り替えが行われた時点で領域情報の内容を前記第２画像の格納先の領域は書き込み対象の画像格納領域であることを示すものへと変更するとしてもよい。
【０１３４】
この構成によると、表示装置は、書き込み対象の画像格納領域に存在する前記第２画像を表示する際には、２つの画像格納領域に係る切り替えからＴ０経過するまでは当該画像格納領域への書き込みを抑止するので、当該切り替えからＴ０が経過するまでは、当該期間において表示すべき第２画像が書き込み対象の画像格納領域に確実に存在しているので、第１画像と第２画像との表示のタイミングを同一にすることができる。
【０１３５】
（４）ここで、前記メモリは、さらに、第２画像を一時的に格納するための出力制御用領域を有しており、前記第２出力手段は、前記切り替えが行われる度に前記読み出し対象の画像格納領域から前記第２画像を読み出して前記出力制御用領域へ格納し、前記切り替えからＴ０経過以後のｎ回それぞれのリフレッシュに対応して、前記出力制御用領域に格納されている第２画像を前記第２表示手段に出力するとしてもよい。
【０１３６】
この構成によると、表示装置は、２つの画像格納領域に係る切り替えからＴ０経過するまでの間、第２画像を出力制御用領域へ格納することで、第２表示手段への出力するタイミングをＴ０分だけ遅延させるので、第１画像と第２画像との表示のタイミングを同一にすることができる。
（５）上記実施の形態及び上記変形例に示される携帯情報端末は、上記（１）に記載の表示装置と、前記連続する画像を記憶する画像記憶手段とを備えることを特徴とする。
【０１３７】
この構成によると、携帯情報端末は、上記（１）に示す表示装置を有しているので、当該携帯情報端末の製造コストは抑えられ、且つ当該携帯情報端末の制御を行うアプリケーションプロセッサの処理負担も抑えられている。さらには、前記携帯情報端末で表示される第１画像と第２画像との表示のタイミングを同一とすることができる。
【産業上の利用可能性】
【０１３８】
本発明は、２つのディスプレイを備え、これら２つのディスプレイを用いて１つの画像を表示する機能を有する装置に有用である。
【符号の説明】
【０１３９】
１    携帯情報端末
１０    記憶部
１１    制御部
１２、１３    外部ＬＣＤＣ
１４    第１ＬＣＤ
１５    第２ＬＣＤ
１６    画像格納部
１００    フレームバッファ
１０１    出力制御用バッファ
１１０    書込部
１１１    出力制御部
１１２    ＤＭＡ転送部
１１３、１１４    ＭＤＤＩ
１１５    切替制御部
１２０    第１出力制御部
１２１    第２出力制御部
１３０    一時バッファ
【図１】
2011102874.tif 000003
【図２】
2011102874.tif 000004
【図３】
2011102874.tif 000005
【図４】
2011102874.tif 000006
【図５】
2011102874.tif 000007
【図６】
2011102874.tif 000008
【図７】
2011102874.tif 000009
【図８】
2011102874.tif 000010
【図９】
2011102874.tif 000011
【図１０】
2011102874.tif 000012
【図１１】
2011102874.tif 000013
【図１２】
2011102874.tif 000014